(57)【要約】【課題】  対象物が持ち上げ可能な捲揚装置において、前記捲揚装置のワイヤーをリアルタイムにて診断することができ、しかも、装置を構成する部分がモジュール化していることから、故障が生じた場合に取り替え易い、捲揚装置に設置されるワイヤー診断装置を提供すること。【解決手段】  対象物を持ち上げるために下側にフック１１１が配備された昇降台１１０を有する捲揚装置１００に設置されるワイヤー診断装置において、前記昇降台１１０のワイヤーが出入りする入口と出口のどちらか一方に着脱自在に結合される据え置き部１１００と、円筒状に中央が穿孔されてワイヤーが貫通できるように形成され、前記据え置き部１１００の据え置き結合部１１２０に着脱自在に結合されてワイヤーをセンシングするセンシング・ホルダー部１２００と、前記センシング・ホルダー部１２００を据え置き部１１００の据え置き結合部１１２０に着脱自在に結合させる締結部１３００とを備える。【選択図】  図２ａ
2020169096.tif 000002
【特許請求の範囲】
【請求項１】
対象物を持ち上げるために下側にフック（１１１）が配備された昇降台（１１０）を有する捲揚装置（１００）に設置されるワイヤー診断装置において、
前記昇降台（１１０）のワイヤーが出入りする入口と出口のどちらか一方に着脱自在に結合される据え置き部（１１００）と、
円筒状に中央が穿孔されてワイヤーが貫通できるように形成され、前記据え置き部（１１００）の据え置き結合部（１１２０）に着脱自在に結合されてワイヤーをセンシングするセンシング・ホルダー部（１２００）と、
前記センシング・ホルダー部（１２００）を据え置き部（１１００）の据え置き結合部（１１２０）に着脱自在に結合させる締結部（１３００）と、を備える
ことを特徴とする捲揚装置に設置されるワイヤー診断装置。
【請求項２】
前記据え置き部（１１００）は、
昇降台（１１０）のワイヤーが出入りする入口と出口のどちらか一方に着脱自在に結合される据え置き胴体部（１１１０）と、
前記据え置き胴体部（１１１０）の上部に形成されて、摺動を導く摺動ガイド部（１１２１）と、前記摺動ガイド部（１１２１）により摺動され、センシング・ホルダー部（１２００）の結合部（１２１２ａ、１２２２ａ）と前記締結部（１３００）により着脱自在に結合される摺動部（１１２２）と、を有する据え置き結合部（１１２０）と、を備える
請求項１に記載の捲揚装置に設置されるワイヤー診断装置。
【請求項３】
前記センシング・ホルダー部（１２００）は、
第１のホルダー胴体部（１２１０）と、
第２のホルダー胴体部（１２２０）と、
前記第１のホルダー胴体部（１２１０）と第２のホルダー胴体部（１２２０）とを中央の穿孔された円筒状に締結させるホルダー締結部（１２３０）と、を備える
請求項１に記載の捲揚装置に設置されるワイヤー診断装置。
【請求項４】
前記第１のホルダー胴体部（１２１０）及び第２のホルダー胴体部（１２２０）は、
ひづめ状に形成される上カバー（１２１１、１２２１）と、
ひづめ状に形成され、締結部（１３００）により据え置き結合部（１１２０）の摺動部（１１２２）と着脱自在に結合される結合部（１２１２ａ、１２２２ａ）を有する下カバー（１２１２、１２２２）と、
前記上カバー（１２１１、１２２１）と下カバー（１２１１、１２２１）との間に奇数個に形成されてワイヤーをセンシングするセンサー部（１２１３、１２２３）と、
前記上カバー（１２１１、１２２１）と下カバー（１２１１、１２２１）との間に奇数個に形成されてワイヤーから発生する摩擦を低減させるローラー部（１２１４、１２２４）と、を備える
請求項３に記載の捲揚装置に設置されるワイヤー診断装置。
【請求項５】
前記センサー部（１２１３、１２２３）は、
前記センサー部（１２１３、１２２３）の一方の側に形成されて磁石を有する第１の磁石部（１２１３ａ、１２２３ａ）と、
前記センサー部（１２１３、１２２３）の他方の側に形成されて磁石を有する第２の磁石部（１２１３ｂ、１２２３ｂ）と、
前記第１の磁石部（１２１３ａ、１２２３ａ）と第２の磁石部（１２１３ｂ、１２２３ｂ）との間の途中に形成されてワイヤーをセンシングする磁場センサー部（１２１３ｃ、１２２３ｃ）と、を備える
請求項４に記載の捲揚装置に設置されるワイヤー診断装置。
【請求項６】
前記磁場センサー部（１２１３ｃ、１２２３ｃ）は、
前記第１の磁石部（１２１３ａ、１２２３ａ）と第２の磁石部（１２１３ｂ、１２２３ｂ）の磁石が生成する漏れ磁速を測定して診断結果を生成してユーザー端末に伝送する
請求項５に記載の捲揚装置に設置されるワイヤー診断装置。
【請求項７】
対象物を持ち上げるために下側にフック（１１１）が配備された昇降台（１１０）を有する捲揚装置（１００）の昇降台（１１０）のワイヤーが出入りする入口と出口のどちらか一方に設置されてワイヤーをセンシングするワイヤー診断装置において、
第１のホルダー胴体部（３１０）と、
第２のホルダー胴体部（３２０）と、
前記第１のホルダー胴体部（３１０）と第２のホルダー胴体部（３２０）に着脱自在に結合されて前記第１のホルダー胴体部（３１０）と第２のホルダー胴体部（３２０）とを中央の穿孔された円筒状に締結させるホルダー締結部（３３０）と、を備える
ことを特徴とする捲揚装置に設置されるワイヤー診断装置。
【請求項８】
前記第１のホルダー胴体部（３１０）及び第２のホルダー胴体部（３２０）は、
ひづめ状に形成される上カバー（３１１、３２１）と、
バッテリー部（３１２、３２２）と、
前記上カバー（３１１、３２１）とバッテリー部（３１２、３２２）との間に形成され、ワイヤーをセンシングする複数のセンサー部（３１３、３２３）と、を備える
請求項７に記載の捲揚装置に設置されるワイヤー診断装置。
【請求項９】
前記センサー部（３１３、３２３）は、
前記センサー部（３１３、３２３）の上部と下部に形成されてワイヤーの摩擦を低減させるローラー部（３１３ａ、３２３ａ）と、
前記センサー部（３１３、３２３）の一方の側に形成されて磁石を有する第１の磁石部（３１３ｂ、３２３ｂ）と、
前記センサー部（３１３、３２３）の他方の側に形成されて磁石を有する第２の磁石部（３１３ｃ、３２３ｃ）と、
前記第１の磁石部（３１３ｂ、３２３ｂ）と第２の磁石部（３１３ｃ、３２３ｃ）との間の途中に形成されてワイヤーをセンシングする磁場センサー部（３１３ｄ、３２３ｄ）と、を備える
請求項８に記載の捲揚装置に設置されるワイヤー診断装置。
【請求項１０】
前記磁場センサー部（３１３ｄ、３２３ｄ）は、
前記第１の磁石部（３１３ｂ、３２３ｂ）と第２の磁石部（３１３ｃ、３２３ｃ）の磁石が生成する漏れ磁速を測定して診断結果を生成してユーザー端末に伝送する
請求項９に記載の捲揚装置に設置されるワイヤー診断装置。
【発明の詳細な説明】
【技術分野】
【０００１】
本発明は、捲揚装置に設置されるワイヤー診断装置に係り、さらに詳しくは、対象物が持ち上げ可能な捲揚装置において、前記捲揚装置のワイヤーをリアルタイムにて診断することのできる捲揚装置に設置されるワイヤー診断装置に関する。
【背景技術】
【０００２】
一般に、ワイヤーを用いて対象物を持ち上げるようになっている捲揚装置は、支持台と、前記支持台に回転自在に結合され、周面にはワイヤーが巻き取られる巻取りドラムと、前記巻取りドラムを駆動する駆動モーターと、前記支持台に回転自在に結合された複数の上シーブと、前記支持台の下側に配設された昇降台と、前記昇降台に結合された複数の下シーブと、を備え、前記ワイヤーは、前記上シーブと下シーブの周部を順次に経由して先端部が前記支持台または昇降台に固定される。
【０００３】
このとき、昇降台の下側にはフックが配設されて、前記フックに対象物を引っ掛けて御持ち上げるように構成される。なお、前記上シーブと下シーブは、周面に凹溝が形成されたホイール状に形成される。したがって、前記フックに対象物を引っ掛けた状態で前記駆動モーターで巻取りドラムを正逆転させてワイヤーを巻き上げたり繰り出したりすれば、前記上シーブと下シーブの作用により、昇降台が昇降しながら対象物を持ち上げたり下ろしたりすることができる。
【０００４】
しかしながら、上述した捲揚装置の場合、対象物を巻き上げるためのワイヤーが損傷されてワイヤーが途切れる場合、大事故につながる虞があるため、ワイヤーの状態をリアルタイムにて診断できる装置が望まれるのが現状である。
【先行技術文献】
【特許文献】
【０００５】
【特許文献１】韓国登録特許第１０−１５９０６２７号公報（登録日：２０１６年０１月２６日、「クレーン」）
【特許文献２】韓国公開実用新案登録第２０−２０１４−０００２８２３号公報（公開日：２０１４年０５月１４日、「クレーンの昇降滑車」）
【発明の概要】
【発明が解決しようとする課題】
【０００６】
本発明は、このような問題を解消するために案出されたものであり、本発明の目的は、対象物が持ち上げ可能な捲揚装置において、前記捲揚装置のワイヤーをリアルタイムにて診断することができ、しかも、装置を構成する部分がモジュール化していることから、故障が生じた場合に取り替え易い、捲揚装置に設置されるワイヤー診断装置を提供するところにある。
【課題を解決するための手段】
【０００７】
上記のような目的を達成するための本発明に係る、捲揚装置に設置されるワイヤー診断装置は、対象物を持ち上げるために下側にフック１１１が配備された昇降台１１０を有する捲揚装置１００に設置されるワイヤー診断装置において、前記昇降台１１０のワイヤーが出入りする入口と出口のどちらか一方に着脱自在に結合される据え置き部１１００と、
【０００８】
円筒状に中央が穿孔されてワイヤーが貫通できるように形成され、前記据え置き部１１００の据え置き結合部１１２０に着脱自在に結合されてワイヤーをセンシングするセンシング・ホルダー部１２００と、前記センシング・ホルダー部１２００を据え置き部１１００の据え置き結合部１１２０に着脱自在に結合させる締結部１３００と、を備えることを特徴とする。
【０００９】
本発明の好適な実施の形態によれば、前記据え置き部１１００は、昇降台１１０のワイヤーが出入りする入口と出口のどちらか一方に着脱自在に結合される据え置き胴体部１１１０と、前記据え置き胴体部１１１０の上部に形成されて、摺動を導く摺動ガイド部１１２１と、前記摺動ガイド部１１２１により摺動され、センシング・ホルダー部１２００の結合部１２１２ａ、１２２２ａと前記締結部１３００により着脱自在に結合される摺動部１１２２と、を有する据え置き結合部１１２０と、を備えることを特徴とする。
【００１０】
本発明の好適な実施の形態によれば、前記センシング・ホルダー部１２００は、第１のホルダー胴体部１２１０と、第２のホルダー胴体部１２２０と、前記第１のホルダー胴体部１２１０と第２のホルダー胴体部１２２０とを中央の穿孔された円筒状に締結させるホルダー締結部１２３０と、を備えることを特徴とする。
【００１１】
本発明の好適な実施の形態によれば、前記第１のホルダー胴体部１２１０及び第２のホルダー胴体部１２２０は、ひづめ状に形成される上カバー１２１１、１２２１と、ひづめ状に形成され、締結部１３００により据え置き結合部１１２０の摺動部１１２２と着脱自在に結合される結合部１２１２ａ、１２２２ａを有する下カバー１２１２、１２２２と、前記上カバー１２１１、１２２１と下カバー１２１１、１２２１との間に奇数個に形成されてワイヤーをセンシングするセンサー部１２１３、１２２３と、前記上カバー１２１１、１２２１と下カバー１２１１、１２２１との間に奇数個に形成されてワイヤーから発生する摩擦を低減させるローラー部１２１４、１２２４と、を備えることを特徴とする。
【００１２】
本発明の好適な実施の形態によれば、前記センサー部１２１３、１２２３は、前記センサー部１２１３、１２２３の一方の側に形成されて磁石を有する第１の磁石部１２１３ａ、１２２３ａと、前記センサー部１２１３、１２２３の他方の側に形成されて磁石を有する第２の磁石部１２１３ｂ、１２２３ｂと、前記第１の磁石部１２１３ａ、１２２３ａと第２の磁石部１２１３ｂ、１２２３ｂとの間の途中に形成されてワイヤーをセンシングする磁場センサー部１２１３ｃ、１２２３ｃと、を備えることを特徴とする。
【００１３】
本発明の好適な実施の形態によれば、前記磁場センサー部１２１３ｃ、１２２３ｃは、前記第１の磁石部１２１３ａ、１２２３ａと第２の磁石部１２１３ｂ、１２２３ｂの磁石が生成する漏れ磁速を測定して診断結果を生成してユーザー端末に伝送することを特徴とする。
【００１４】
本発明の好適な実施の形態によれば、対象物を持ち上げるために下側にフック１１１が配備された昇降台１１０を有する捲揚装置１００の昇降台１１０のワイヤーが出入りする入口と出口のどちらか一方に設置されてワイヤーをセンシングするワイヤー診断装置において、第１のホルダー胴体部３１０と、第２のホルダー胴体部３２０と、前記第１のホルダー胴体部３１０と第２のホルダー胴体部３２０に着脱自在に結合されて前記第１のホルダー胴体部３１０と第２のホルダー胴体部３２０とを中央の穿孔された円筒状に締結させるホルダー締結部３３０と、を備えることを特徴とする。
【００１５】
本発明の好適な実施の形態によれば、前記第１のホルダー胴体部３１０及び第２のホルダー胴体部３２０は、ひづめ状に形成される上カバー３１１、３２１と、バッテリー部３１２、３２２と、前記上カバー３１１、３２１とバッテリー部３１２、３２２との間に形成され、ワイヤーをセンシングする複数のセンサー部３１３、３２３と、を備えることを特徴とする。
【００１６】
本発明の好適な実施の形態によれば、前記センサー部３１３、３２３は、前記センサー部３１３、３２３の上部と下部に形成されてワイヤーの摩擦を低減させるローラー部３１３ａ、３２３ａと、前記センサー部３１３、３２３の一方の側に形成されて磁石を有する第１の磁石部３１３ｂ、３２３ｂと、前記センサー部３１３、３２３の他方の側に形成されて磁石を有する第２の磁石部３１３ｃ、３２３ｃと、前記第１の磁石部３１３ｂ、３２３ｂと第２の磁石部３１３ｃ、３２３ｃとの間の途中に形成されてワイヤーをセンシングする磁場センサー部３１３ｄ、３２３ｄと、を備えることを特徴とする。
【００１７】
本発明の好適な実施の形態によれば、前記磁場センサー部３１３ｄ、３２３ｄは、前記第１の磁石部３１３ｂ、３２３ｂと第２の磁石部３１３ｃ、３２３ｃの磁石が生成する漏れ磁速を測定して診断結果を生成してユーザー端末に伝送することを特徴とする。
【発明の効果】
【００１８】
本発明に係る捲揚装置に設置されるワイヤー診断装置は、対象物が持ち上げ可能な捲揚装置において、前記捲揚装置のワイヤーをリアルタイムにて診断してワイヤーの異常有無を確認することができるという効果がある。
また、装置を構成する部分がモジュール化していることから、故障が生じた場合に取り替え易いという効果がある。
【図面の簡単な説明】
【００１９】
【図１】従来の捲揚装置を示す例示説明図
【図２ａ】本発明の一実施の形態に係る診断装置の側面図
【図２ｂ】本発明の一実施の形態に係る診断装置の斜視図
【図３ａ】本発明の一実施の形態に係る据え置き部の分解斜視図
【図３ｂ】本発明の一実施の形態に係る据え置き部の組立状態の斜視図
【図４ａ】本発明の一実施の形態に係るセンシング・ホルダー部の分解斜視図
【図４ｂ】本発明の一実施の形態に係るセンシング・ホルダー部の組立状態の例示説明図
【図５】本発明の一実施の形態に係る診断装置の組立状態の例示説明図
【図６】本発明の一実施の形態に係る診断装置の実施の例示説明図
【図７】本発明の一実施の形態に係る診断装置のワイヤー診断の実施の例示説明図
【図８】本発明の一実施の形態に係る診断装置の他の実施の例示説明図１
【図９】本発明の一実施の形態に係る診断装置の他の実施の例示説明図２
【図１０】本発明の一実施の形態に係る診断装置の他の実施の形態の分解斜視図
【図１１】本発明の一実施の形態に係る診断装置の他の実施の例示説明図３
【図１２】本発明の一実施の形態に係る診断装置の他の実施の例示説明図４
【図１３】本発明の一実施の形態に係る診断装置の他の実施の例示説明図５
【発明を実施するための形態】
【００２０】
以下では、添付図面に基づいて、本発明が属する技術分野において通常の知識を有する者が容易に実施できるように本発明の実施の形態について詳しく説明する。本発明は、種々の異なる形態に具体化可能であり、ここで説明する実施の形態に限定されるものではない。なお、図中、本発明を明確に説明するために、説明とは無関係な部分は省略し、明細書の全般に亘って、類似の部分には類似の図面符号を付している。
【００２１】
明細書の全般に亘って、ある部分が他の部分と「連結」されているとしたとき、これは、「直接的に連結」されている場合のみならず、これらの間に他の部材を挟んで「間接的に連結」されている場合も含む。なお、ある部分がある構成要素を「備える」としたとき、これは、特に断りのない限り、他の構成要素を除外するわけではなく、他の構成要素をさらに備えていてもよいことを意味する。
以下、添付図面に基づいて、本発明の好適な実施の形態について説明する。
【００２２】
図１は、従来の捲揚装置を示す例示図である。図１に示すように、従来の捲揚装置１００は、支持台と、前記支持台に回転自在に結合され、周面には複数のワイヤーが巻き取られる巻取りドラムと、前記巻取りドラムを駆動する駆動モーターと、前記支持台に回転自在に結合された複数の上シーブと、前記支持台の下側に配設され、フック１１１を有する昇降台１１０と、前記昇降台１１０に上側の一部が外部に露出されるように結合された複数の下シーブと、を備え、前記ワイヤーは、前記上シーブと下シーブの周面を経由するようになっている。
【００２３】
図２ａは、本発明の一実施の形態に係る診断装置の側面図であり、図２ｂは、本発明の一実施の形態に係る診断装置の斜視図である。図２ａ及び図２ｂに示すように、本発明に係るワイヤー診断装置１０００は、図１のＡ部分である前記昇降台１１０のワイヤーが出入りする入口と出口のどちらか一方に着脱自在に結合される据え置き部１１００及び円筒状に中央が穿孔されてワイヤーが貫通できるように形成され、前記据え置き部１１００の据え置き結合部１１２０に着脱自在に結合されてワイヤーをセンシングするセンシング・ホルダー部１２００及び前記センシング・ホルダー部１２００を据え置き部１１００の据え置き結合部１１２０に着脱自在に結合させる締結部１３００を備えてなる。
【００２４】
図３ａは、本発明の一実施の形態に係る据え置き部の分解斜視図であり、図３ｂは、本発明の一実施の形態に係る据え置き部の結合斜視図である。図３ａ及び３ｂに示すように、前記据え置き部１１００は、昇降台１１０のワイヤーが出入りする入口と出口のどちらか一方に着脱自在に結合される据え置き胴体部１１１０及び前記据え置き胴体部１１１０の上部に形成されて前記センシング・ホルダー部１２００が着脱自在に結合される据え置き結合部１１２０を備えてなる。また、前記据え置き部１１００を螺合を通じて一つに締結させる据え置き締結部１１３０をさらに備えていてもよい。さらに、前記据え置き結合部１１２０は、左右への摺動を導く摺動ガイド部１１２１と、前記摺動ガイド部１１２１に導かれて左右に摺動する摺動部１１２２と、をさらに備えてなるが、前記摺動部１１２２は、前記締結部１３００と螺合されて前記センシング・ホルダー部１２００を固定する。
【００２５】
前記据え置き部１１００の据え置き胴体部１１１０は、前記昇降台１１０のワイヤーが出入りする入口と出口のどちらか一方に着脱自在に結合されるが、好ましくは、据え置き胴体部１１１０の下部に形成される結合部材１１１１を介して前記昇降台１１０の入口と出口のどちらか一方に簡単に嵌着できるように構成される。さらにまた、前記据え置き部１１００は、前記昇降台１１０のワイヤーが出入りする入口と出口のどちらか一方に嵌着できるように前記昇降台１１０の入口と出口の大きさを考慮して作製されなければならない。
【００２６】
図４ａは、本発明の一実施の形態に係るセンシング・ホルダー部の分解斜視図であり、図４ｂは、本発明の一実施の形態に係るセンシング・ホルダー部の組立状態の例示図である。図４ａ及び図４ｂに示すように、前記センシング・ホルダー部１２００は、第１のホルダー胴体部１２１０と、第２のホルダー胴体部１２２０、及び前記第１のホルダー胴体部１２１０と第２のホルダー胴体部１２２０とを中央の穿孔された円筒状に締結させるホルダー締結部１２３０を備えてなる。
【００２７】
前記ホルダー締結部１２３０は、螺合を通じて前記第１のホルダー胴体部１２１０と第２のホルダー胴体部１２２０とが一つに合わせられて中央の穿孔された円筒状をなすようにする。したがって、前記第１のホルダー胴体部１２１０と第２のホルダー胴体部１２２０のどちらか一方に故障が生じる場合、ユーザーは、前記ホルダー締結部１２３０の螺合を解放して故障の生じた部分を手軽に取り替えることができるという効果がある。
【００２８】
また、前記第１のホルダー胴体部１２１０と第２のホルダー胴体部１２２０は、ひづめ状に形成される上カバー１２１１、１２２１と、ひづめ状に形成される下カバー１２１２、１２２２と、前記上カバー１２１１、１２２１と下カバー１２１２、１２２２との間に偶数個に形成されてワイヤーをセンシングするセンサー部１２１３、１２２３と、前記上カバー１２１１、１２２１と下カバー１２１２、１２２２との間に奇数個に形成されてワイヤーから発生する摩擦を低減させるローラー部１２１４、１２２４と、を備えてなる。また、前記下カバー１２１２、１２２２の一方の側には、結合部１２１２ａ、１２２２ａが形成されるが、前記結合部１２１２ａ、１２２２ａは、前記締結部１３００と螺合されて、前記据え置き部１１００の据え置き結合部１１２０の摺動部１１２２に固定される。前記センサー部１２１３、１２２３は、好ましくは、第１のホルダー胴体部１２１０と第２のホルダー胴体部１２２０にそれぞれ４個ずつ形成されてもよく、前記ローラー部１２１４、１２２４は、好ましくは、第１のホルダー胴体部１２１０と第２のホルダー胴体部１２２０にそれぞれ３個ずつ形成されてもよい。
【００２９】
さらに、前記センサー部１２１３、１２２３は、前記センサー部１２１３、１２２３の一方の側に形成されて磁石を有する第１の磁石部１２１３ａ、１２２３ａと、前記センサー部１２１３、１２２３の他方の側に形成されて磁石を有する第２の磁石部１２１３ｂ、１２２３ｂ及び前記第１の磁石部１２１３ａ、１２２３ａと第２の磁石部１２１３ｂ、１２２３ｂとの間の途中に形成されてワイヤーをセンシングする磁場センサー部１２１３ｃ、１２２３ｃを備えてなる。
【００３０】
前術したように、本発明に係るワイヤー診断装置１０００は、据え置き部１１００と、センシング・ホルダー部１２００と、を備えるが、前記据え置き部１１００とセンシング・ホルダー部１２００との結合は、簡単に、前記据え置き部１１００の据え置き結合部１１２０の摺動部１１２２と、前記センシング・ホルダー部１２００の下カバー１２１２、１２２２の結合部１２１２ａ、１２２２ａとの螺合を前記締結部１３００を介して締結することにより行われる。
【００３１】
図５は、本発明の一実施の形態に係る診断装置の結合例示図である。図５に示すように、前記据え置き部１１００とセンシング・ホルダー部１２００との結合は、上述した方法とは異なる形態により行われてもよいが、前記ワイヤー診断装置１０００のセンシング・ホルダー部１２００の下カバーを図示の如く形成して、前記下カバー１２１２、１２２２を前記据え置き部１０００の据え置き結合部１１２０に簡単に嵌め込んだ後、ホルダー締結部１２３０を介して螺合させて前記センシング・ホルダー部１２００が据え置き部１１００と結合されて固定されるように行われてもよい。
【００３２】
図６は、本発明の一実施の形態に係る診断装置の実施の例示図である。図６に示すように、ユーザーは、前術したように構成される本発明に係るワイヤー診断装置１０００の据え置き部１１００の据え置き胴体部１１１０を前記捲揚装置１００の昇降台１１０のワイヤーが出入りする入口と出口のどちらか一方に結合部材１１１１を介して嵌着させた後、据え置き締結部１１３０を介して前記据え置き部１１００を螺合させて一つに締結させ、前記センシング・ホルダー部１２００の第１のホルダー胴体部１２１０と、第２のホルダー胴体部１２２０と、をホルダー締結部１２３０を介して螺合させて一つに締結させ、前記据え置き部１１００の据え置き結合部１１２０の摺動部１１２２と、センシング・ホルダー部１２００の結合部１２１２ａ、１２２２ａと、を締結部１３００を介して螺合させて、前記捲揚装置１００のワイヤーを前記ホルダー胴体部１２１０の磁場センサー部１２１３ｃ、１２２３ｃを介してセンシングしてワイヤーを診断することができる。
【００３３】
図７は、本発明の一実施の形態に係る診断装置のワイヤー診断実施の例示図である。図７に示すように、前記磁場センサー部１２１３ｃ、１２２３ｃは、ワイヤーをセンシングして診断結果を生成するが、前記磁場センサー部１２１３ｃ、１２２３ｃは、前記第１の磁石部１２１３ａ、１２２３ａと第２の磁石部１２１３ｂ、１２２３ｂの磁石が生成する漏れ磁速を測定して診断結果を生成する。
【００３４】
診断結果は、正常、腐食、キンク及び断線などのタイプにて表示してもよい。なお、前記磁場センサー部１２１３ｃ、１２２３ｃは、診断結果をユーザー端末にリアルタイムにて伝送するが、これを通して、ユーザーは、捲揚装置１００のワイヤーの状態をリアルタイムにて確認することができて、事故の発生を未然に防止することができるという効果がある。
【００３５】
図８は、本発明の一実施の形態に係る診断装置の他の実施の例示図１であり、図９は、本発明の一実施の形態に係る診断装置の他の実施の例示図２である。図８及び図９に示すように、本発明に係る、対象物を持ち上げるために下側にフック１１１が配備された昇降台１１０を有する捲揚装置１００の昇降台１１０のワイヤーが出入りする入口と出口のどちらか一方に設置されてワイヤーをセンシングするワイヤー診断装置３００は、第１のホルダー胴体部３１０と、第２のホルダー胴体部３２０及び前記第１のホルダー胴体部３１０と第２のホルダー胴体部３２０とを中央の穿孔された円筒状に締結させるホルダー締結部３３０を備えてなる。さらにまた、前記ホルダー締結部３３０は、前記第１のホルダー胴体部３１０と第２のホルダー胴体部３２０に着脱自在に結合された後、第１のホルダー胴体部３１０と第２のホルダー胴体部３２０とを円筒状に締結させる。
【００３６】
図１０は、本発明の一実施の形態に係る診断装置の他の実施の形態の分解斜視図である。図１０に示すように、前記第１のホルダー胴体部３１０及び第２のホルダー胴体部３２０は、ひづめ状に形成される上カバー３１１、３２１と、半円錐状に形成されるバッテリー部３１２、３２２及び前記上カバー３１１、３２１とバッテリー部３１２、３２２との間に形成され、ワイヤーをセンシングする複数のセンサー部３１３、３２３を備えてなる。前記バッテリー部３１２、３２２は、前記センサー部３１３、３２３がワイヤーをセンシングできるように電源を供給し、ワイヤー診断装置３００が前記昇降台１１０にワイヤーにより巻き込まれることを防止する役割を果たす。なお、前記センサー部３１３、３２３は、好ましくは、前記上カバー３１１、３２１とバッテリー部３１２、３２２との間にそれぞれ４個ずつ設けられてもよい。
【００３７】
また、前記センサー部３１３、３２３は、前記センサー部３１３、３２３の上部と下部に形成されてワイヤーの摩擦を低減させるローラー部３１３ａ、３２３ａと、前記センサー部３１３、３２３の一方の側に形成されて磁石を有する第１の磁石部３１３ｂ、３２３ｂと、前記センサー部３１３、３２３の他方の側に形成されて磁石を有する第２の磁石部３１３ｃ、３２３ｃ及び前記第１の磁石部３１３ｂ、３２３ｂと第２の磁石部３１３ｃ、３２３ｃとの間の途中に形成されてワイヤーをセンシングする磁場センサー部３１３ｄ、３２３ｄを備えてなってもよい。
【００３８】
本発明に係るワイヤー診断装置３００の第１のホルダー胴体部３１０と第２のホルダー胴体部３２０は、前記ホルダー締結部３３０により組み合わせられて前記捲揚装置１００の前記昇降台１１０のワイヤーが出入りする入口と出口のどちらか一方に設置されて、前記磁場センサー部３１３ｄ、３２３ｄを介して捲揚装置１００のワイヤーをリアルタイムにて診断して、図７に示すように診断結果を生成して、診断結果をユーザー端末にリアルタイムにて伝送する。
【００３９】
前記ユーザー端末は、好ましくは、携帯電話、スマートフォン（ｓｍａｒｔ  ｐｈｏｎｅ）、タブレット・パソコン（ｔａｂｌｅｔ  ｃｏｍｐｕｔｅｒ）、ノート型パソコン（ｎｏｔｅｂｏｏｋ  ｃｏｍｐｕｔｅｒ）、デジタル放送用の端末、携帯情報端末（ＰＤＡ：Ｐｅｒｓｏｎａｌ  Ｄｉｇｉｔａｌ  Ａｓｓｉｓｔａｎｔｓ）、ポータブル・マルチメディア・プレーヤー（ＰＭＰ：Ｐｏｒｔａｂｌｅ  Ｍｕｌｔｉｍｅｄｉａ  Ｐｌａｙｅｒ）などの端末であってもよい。
【００４０】
前記ワイヤー診断装置１０００、３００とユーザー端末との間の通信方式としては、好ましくは、ブルートゥース（登録商標）（Ｂｌｕｅｔｏｏｔｈ（登録商標））、無線周波数識別技術（ＲＦＩＤ：Ｒａｄｉｏ  Ｆｒｅｑｕｅｎｃｙ  Ｉｄｅｎｔｉｆｉｃａｔｉｏｎ）、赤外線通信（ＩｒＤＡ：ｉｎｆｒａｒｅｄ  Ｄａｔａ  Ａｓｓｏｃｉａｔｉｏｎ）、超広帯域（ＵＷＢ：Ｕｌｔｒａ  Ｗｉｄｅｂａｎｄ）無線システム、ジグビー（ＺｉｇＢｅｅ）、ワイヤレスＬＡＮ（ＷＬＡＮ：Ｗｉｒｅｌｅｓｓ  ＬＡＮ）（Ｗｉ−Ｆｉ）などの近距離通信方式を採用してもよい。
【００４１】
さらに、本発明に係るワイヤー診断装置３００は、図８から図１０に示す診断装置３００とは他の構成は全く同様であるが、バッテリー部の形状のみが異なるように構成されてもよい。これは、図１１から図１３の通りである。図１１は、本発明の一実施の形態に係る診断装置の他の実施の例示図３であり、図１２は、本発明の一実施の形態に係る診断装置の他の実施の例示図４であり、図１３は、本発明の一実施の形態に係る診断装置の他の実施の例示図５である。先ず、第１のホルダー胴体部３１０と第２のホルダー胴体部３２０とが組み合わせられる場合、バッテリー部３１２’、３２２’が、図１１に示すような形状をなすように構成されてもよい。次いで、第１のホルダー胴体部３１０と第２のホルダー胴体部３２０とが組み合わせられる場合、バッテリー部３１２”、３２２”が図１２に示すような形状をなすように構成されてもよく、最後に、第１のホルダー胴体部３１０と第２のホルダー胴体部３２０とが組み合わせられる場合、バッテリー部３１２”’、３２２”’が図１３に示すような形状をなすように構成されてもよい。
【００４２】
前術したように、バッテリー部を様々な形状に構成する理由は、捲揚装置の種類が多岐に亘るため、バッテリー部の形状もまた捲揚装置に合わせて様々に構成せねばならないためである。すなわち、本発明のワイヤー診断装置３００は、バッテリー部を図８、図１１、図１２及び図１３に示すように捲揚装置の種類に応じて様々な形状に形成してもよく、これを通して、ワイヤー診断装置３００が捲揚装置のワイヤーに巻き込まれて破損されることを防止することができる。
【００４３】
したがって、ユーザーは、前術したような本発明に係るワイヤー診断装置１０００、３００をエレベーター、水門またはクレーンなどに設置される捲揚装置１００の昇降台１１０のワイヤーが出入りする入口と出口のどちらか一方に設置して、前記捲揚装置１００のワイヤーをリアルタイムにて診断して診断結果をユーザー端末を介して確認することができて、ワイヤーが腐食して起こり得る事故を未然に防止することができる。さらにまた、前記ワイヤー診断装置１０００、３００は、それぞれの構成要素がモジュール化していることから、取り付け及び取り外しが容易に行われて、診断装置１０００、３００のいずれか一つの構成要素に故障が生じる場合、故障の生じた構成要素を手軽に取り替えることが可能になるという効果がある。
【００４４】
本発明は、図示の実施の形態を参考として説明されたが、これは単なる例示的なものに過ぎず、この技術分野において通常の知識を有する者であれば、これより様々な変形が行われることができ、上述した実施の形態の全部または一部が選択的に組み合わせられて構成され得るという点を理解することができる。よって、本発明の真の技術的な保護範囲は、添付の特許請求の範囲の技術的な思想により定められる。
【符号の説明】
【００４５】
１００  捲揚装置
１１０  昇降台
１１１  フック
３００  診断装置
３１０  第１のホルダー胴体部
３１１  上カバー
３１２、３１２’、３１２”、３１２”’  バッテリー部
３１３  センサー部
３１３ａ  ローラー部
３１３ｂ  第１の磁石部
３１３ｃ  第２の磁石部
３１３ｄ  磁場センサー部
３２０  第２のホルダー胴体部
３２１  上カバー
３２２、３２２’、３２２”、３２２”’  バッテリー部
３２３  センサー部
３２３ａ  ローラー部
３２３ｂ  第１の磁石部
３２３ｃ  第２の磁石部
３２３ｄ  磁場センサー部
３３０  ホルダー締結部
１０００  診断装置
１１００  据え置き部
１１１０  据え置き胴体部
１１２０  据え置き結合部
１１２１  摺動ガイド部
１１２２  摺動部
１１３０  据え置き締結部
１２００  センシング・ホルダー部
１２１０  第１のホルダー胴体部
１２１１  上カバー
１２１２  下カバー
１２１２ａ  結合部
１２１３  センサー部
１２１３ａ  第１の磁石部
１２１３ｂ  第２の磁石部
１２１３ｃ  磁場センサー部
１２１４  ローラー部
１２２０  第２のホルダー胴体部
１２２１  上カバー
１２２２  下カバー
１２２２ａ  結合部
１２２３  センサー部
１２２３ａ  第１の磁石部
１２２３ｂ  第２の磁石部
１２２３ｃ  磁場センサー部
１２２４  ローラー部
１２３０  ホルダー締結部
１３００  締結部
【図１】
2020169096.tif 000003
【図２ａ】
2020169096.tif 000004
【図２ｂ】
2020169096.tif 000005
【図３ａ】
2020169096.tif 000006
【図３ｂ】
2020169096.tif 000007
【図４ａ】
2020169096.tif 000008
【図４ｂ】
2020169096.tif 000009
【図５】
2020169096.tif 000010
【図６】
2020169096.tif 000011
【図７】
2020169096.tif 000012
【図８】
2020169096.tif 000013
【図９】
2020169096.tif 000014
【図１０】
2020169096.tif 000015
【図１１】
2020169096.tif 000016
【図１２】
2020169096.tif 000017
【図１３】
2020169096.tif 000018